(57)【要約】【課題】湿気などの水滴が窓枠に沿って伝わっても湿気の室内への侵入を抑制するとともに、壁に水滴が垂れて汚すことを防止できる窓構造を提供すること。【解決手段】本発明の一態様は、一対の柱の間に配置される窓枠と、窓枠を支持する窓台と、を備えた窓構造である。この窓構造における窓台は、窓枠を支える支持板と、支持板の上面に設けられ、窓の奥行き方向に延在する上面溝部と、を有し、窓台によって窓枠を支持した状態で、窓枠の縦枠における外側面の下方延長上および前記柱における内側面の下方延長上の少なくともいずれかに上面溝部が配置される。【選択図】図１
2020204266.tif 000002
【特許請求の範囲】
【請求項１】
一対の柱の間に配置される窓枠と、
前記窓枠を支持する窓台と、を備えた窓構造であって、
前記窓台は、
前記窓枠を支える支持板と、
前記支持板の上面に設けられ、窓の奥行き方向に延在する上面溝部と、を有し、
前記窓台によって前記窓枠を支持した状態で、前記窓枠の縦枠における外側面の下方延長上および前記柱における内側面の下方延長上の少なくともいずれかに前記上面溝部が配置される、窓構造。
【請求項２】
前記支持板の前記上面には、複数本の前記上面溝部が互いに平行に設けられた、請求項１記載の窓構造。
【請求項３】
前記支持板の前記上面には、前記複数本の上面溝部を互いに連通させる連通溝部が設けられた、請求項２記載の窓構造。
【請求項４】
前記支持板の下面における出先部分には、窓の幅方向に延在する下面溝部が設けられた、請求項１〜３のいずれか１項に記載の窓構造。
【請求項５】
前記支持板の上面および下面のそれぞれは、屋内側から屋外側に向けて下がるよう傾斜して設けられた、請求項１〜４のいずれか１項に記載の窓構造。
【発明の詳細な説明】
【技術分野】
【０００１】
本発明は、窓枠および窓枠を支持する窓台を備えた窓構造に関するものである。
【背景技術】
【０００２】
建物の躯体に窓を取り付ける場合、管柱、まぐさおよび窓台で構成される開口に窓枠を取り付けるようにしている。窓枠の取り付けにおいては、躯体と窓枠との間の防水性、気密性を保つことが重要である。この防水性、気密性を保つため、窓枠と躯体との間にシリコーン樹脂などのシール材を充填している。
【０００３】
特許文献１には、建物の外壁における開口周縁部にサッシ枠を取り付けたときのサッシ枠の外壁面に対する傾きを抑えつつ、開口周縁部にサッシ枠を取り付ける作業に対する強度を確保することができるサッシ用防水部材が開示される。
【０００４】
特許文献２には、木造住宅の長寿命化に対応したサッシ窓が開示される。このサッシ窓では、サッシ枠が容易に取り替え可能であるとともに、水密性がよくて外観の意匠性もよく、また施工性にも優れている。
【０００５】
特許文献３には、住宅等の建築物における窓や扉の開口部において、窓枠やドア枠等の枠体周辺で生じる結露を確実に排水し、まぐさや窓台等の窓枠周辺で、木材が腐敗したり、カビが発生したりするのを防止する窓枠取り付け構造が開示される。
【先行技術文献】
【特許文献】
【０００６】
【特許文献１】特開２０１３−２３４５４３号公報
【特許文献２】特開２０１０−２４８７６５号公報
【特許文献３】特開２００６−３２２２４６号公報
【発明の概要】
【発明が解決しようとする課題】
【０００７】
窓枠に結露や水滴など（以下、「水滴等」とも言う。）が付着した場合、水滴等は窓枠の縦枠における外側面に沿って下に垂れやすい。この水滴等は窓枠を支える窓台に達し、窓台の縁から外壁に沿って垂れると水垢によるシミの原因となる。
【０００８】
本発明の目的は、水滴等が窓台の縁から壁に沿って垂れることを抑制して水垢によるシミの発生を抑制できる窓構造を提供することである。
【課題を解決するための手段】
【０００９】
本発明の一態様は、一対の柱の間に配置される窓枠と、窓枠を支持する窓台と、を備えた窓構造である。この窓構造における窓台は、窓枠を支える支持板と、支持板の上面に設けられ、窓の奥行き方向に延在する上面溝部と、を有し、窓台によって窓枠を支持した状態で、窓枠の縦枠における外側面の下方延長上および前記柱における内側面の下方延長上の少なくともいずれかに上面溝部が配置される。
【００１０】
このような構成によれば、窓枠の縦枠における外側面または管柱等の柱における内側面に沿って水滴等が垂れた場合、その水滴等は下方の窓台の上面溝部に入り、上面溝部を伝って出先部分（屋外）の方向へ流れていく。これにより、水滴等が窓台の横から壁に伝わり垂れることを抑制することができる。
【００１１】
上記窓構造において、支持板の上面には、複数本の上面溝部が互いに平行に設けられていてもよい。複数本の上面溝部が窓枠の左右に対応して設けられている場合には、窓枠の左右側において垂れる水滴等を上面溝部で捕獲することができる。また、複数本の上面溝部が窓枠の左右一方側に設けられている場合には、複数本の上面溝部によってより確実に水滴等を捕獲することができる。
【００１２】
上記窓構造において、支持板の上面には、複数本の上面溝部を互いに連通させる連通溝部が設けられていてもよい。これにより、複数本の上面溝部が連通溝部によって連通するため、それぞれの上面溝部で捕獲した水滴等を連通溝部によって複数本の上面溝部へ分散させながら流すことができる。
【００１３】
上記窓構造において、支持板の下面における出先部分には、窓の幅方向に延在する下面溝部が設けられていてもよい。これにより、支持板の下面に沿って流れる水滴等が下面溝部で捕獲されるため、水滴等が窓台の下面に回り込み、壁に伝わることを抑制することができる。
【００１４】
上記窓構造において、支持板の上面および下面のそれぞれは、屋内側から屋外側に向けて下がるよう傾斜して設けられていてもよい。これにより、支持板の上面溝部で捕獲された水滴等や、支持板の上下面に付着した水滴等を積極的に屋外へ流すことができる。
【発明の効果】
【００１５】
本発明によれば、水滴等が窓台の縁から壁に沿って垂れることを抑制して水垢によるシミの発生を抑制できる窓構造を提供することが可能になる。
【図面の簡単な説明】
【００１６】
【図１】本実施形態に係る窓構造を例示する模式斜視図である。
【図２】（ａ）および（ｂ）は、窓台を例示する斜視図である。
【図３】（ａ）および（ｂ）は、本実施形態に係る窓構造を例示する模式図である。
【図４】窓枠および柱と上面溝部との位置関係を例示する部分斜視図である。
【図５】窓枠および柱と上面溝部との位置関係を例示する部分平面図である。
【図６】窓台部分の模式断面図である。
【発明を実施するための形態】
【００１７】
以下、本発明の実施形態を図面に基づいて説明する。なお、以下の説明では、同一の部材には同一の符号を付し、一度説明した部材については適宜その説明を省略する。
【００１８】
図１は、本実施形態に係る窓構造を例示する模式斜視図である。
なお、説明の都合上、建物の外壁、断熱材、内装材などは図示を省略している。
図１に示すように、本実施形態に係る窓構造１は、一対の柱２の間に配置される窓枠１０と、窓枠１０を支持する窓台２０とを備える。一対の柱２は例えば管柱である。一対の柱２の間には横方向にまぐさ３が渡され、下方に窓台２０が渡されている。
【００１９】
窓枠１０は縦枠１１および横枠１２によって矩形状に組まれている。窓枠１０には、アルミニウム、木材、樹脂、またはこれらの複合材が用いられる。窓枠１０は、一対の柱２、まぐさ３および窓台２０によって構成される矩形状の開口に嵌め込まれる。例えば、窓枠１０は窓台２０の上に載せられた状態で、縦枠１１が柱２に固定され、上側の横枠１２がまぐさ３に固定される。
【００２０】
窓台２０は、窓枠１０の下側を支える板状の支持板２１を備える。支持板２１は窓枠１０の幅よりもわずかに広い幅と、窓枠１０の奥行きよりも長い奥行きとを有する。支持板２１には、玄晶石や御影石などの石材や、杉などの木材を板状物にしたものが用いられる。本実施形態では、支持板２１は一対の柱２に設けられた切り欠き部分に挿入され、柱２の所定の高さに配置されている。支持板２１は屋外側に突出する出先部分２０１を有する。出先部分２０１は、柱２よりも屋外側に出っ張る部分である。
【００２１】
支持板２１の上面２１ａには、窓の奥行き方向に延在する上面溝部２１０が設けられる。上面溝部２１０は、支持板２１の上面２１ａにおける屋内側の途中から屋外側の端部まで直線的に設けられた溝である。上面２１ａには複数本の上面溝部２１０が互いに平行に設けられていてもよい。本実施形態では、左右にそれぞれ３本（計６本）の上面溝部２１０が設けられる。上面溝部２１０の幅は約５ｍｍ、深さは約５ｍｍ、隣り合う上面溝部２１０との間は約８ｍｍである。なお、上記寸法はこれ以外の場合もあり得る。
【００２２】
複数の上面溝部２１０が設けられている場合、これらの上面溝部２１０を互いに連通させる連通溝部２２０を設けてもよい。連通溝部２２０は、支持板２１の上面２１ａにおける窓の幅方向に延在し、各上面溝部２１０の屋内側の端部を繋げるように設けられる。連通溝部２２０の幅は約５ｍｍ〜１０ｍｍ、深さは約５ｍｍである。なお、上記寸法はこれ以外の場合もあり得る。
【００２３】
本実施形態にかかる窓構造１において、窓台２０によって窓枠１０を支持した状態で、窓枠１０の縦枠１１における外側面１１ｓの下方延長上および柱２における内側面２ｓの下方延長上の少なくともいずれかに上面溝部２１０が配置されるようになっている。本実施形態では、縦枠１１の外側面１１ｓおよび柱２の内側面２ｓのいずれについてもその下方延長上に上面溝部２１０が配置されている。言い換えると、上面溝部２１０の上に窓枠１０の縦枠１１の外側面１１ｓが位置し、上面溝部２１０の上に柱２の内側面２ｓが位置するようになっている。
【００２４】
複数本の上面溝部２１０が設けられている場合、同じ（１本）の上面溝部２１０の上に縦枠１１の外側面１１ｓと柱２の内側面２ｓとが位置していてもよいし、異なる上面溝部２１０のそれぞれの上に縦枠１１の外側面１１ｓと柱２の内側面２ｓとが位置していてもよい。また、左右の縦枠１１の外側面１１ｓおよび左右の柱２の内側面２ｓのそれぞれについて上面溝部２１０の上に配置されていてもよい。
【００２５】
このように、上面溝部２１０の上に縦枠１１の外側面１１ｓや柱２の内側面２ｓが位置していることで、窓枠１０の縦枠１１や柱２の内側面２ｓに沿って水滴等が垂れた場合、その水滴等が下方の窓台２０の上面溝部２１０に入り、上面溝部２１０を伝って出先部分２０１（屋外）の方向へ流れていく。これにより、水滴等が窓台２０の横から壁に伝わることを抑制することができる。
【００２６】
建物において、窓枠１０や柱２に結露や水滴などの水分が付着すると、水滴等は窓枠１０の縦枠１１における外側面１１ｓや、柱２の内側面２ｓに沿って下方に垂れていく。この水滴等が窓台２０に達した場合、通常では窓台２０の縁から外壁に沿って垂れることになる。これが外壁に付着して水垢によるシミの原因となる。
【００２７】
本実施形態に係る窓台２０を用いることで、窓枠１０に付着した水滴等は窓台２０の上面溝部２１０に沿って出先部分２０１から屋外へ排出され、窓台２０の縁から壁に沿って垂れることを抑制できる。これにより、水垢によるシミの発生を抑制することができる。
【００２８】
図２（ａ）および（ｂ）は、窓台を例示する斜視図である。
図２（ａ）には上面２１ａ側からみた斜視図が示され、図２（ｂ）には下面２１ｂ側からみた斜視図が示される。
図２（ａ）に示すように、本実施形態で適用される窓台２０の支持板２１の上面２１ａには、左右それぞれに３本の上面溝部２１０が設けられている。また、これらの上面溝部２１０が連通溝部２２０によって連通される。窓枠１０の縦枠１１に沿って垂れる水滴等は上面溝部２１０に入り込み、出先部分２０１から屋外に排出される。また、窓枠１０に沿って連通溝部２２０に入った水滴等も連通溝部２２０からいずれかの上面溝部２１０に分散しながら入り込み、出先部分２０１から屋外に排出される。
【００２９】
さらに、出先部分２０１が屋外に出っ張っており、ここに雨水等がかかった場合でも、雨水等が上面溝部２１０に捕獲され出先部分２０１の方向へ流れていく。これにより、雨水等がかかっても、窓台２０の横（脇の部分）へ流れることを抑制でき、窓台２０の横（脇の部分）から壁に沿って垂れることを抑制できる。
【００３０】
また、図２（ｂ）に示すように、支持板２１の下面２１ｂには、窓の幅方向に延在する下面溝部２３０が設けられていてもよい。下面溝部２３０は支持板２１の幅方向に渡り直線状に設けられた溝である。下面溝部２３０は出先部分２０１に設けられる。これにより、支持板２１の下面２１ｂに沿って流れる水滴等が下面溝部２３０で捕獲される。例えば、上面溝部２１０の屋外側から排出される水滴等が支持板２１の下面２１ｂに回り込んだ場合でも、下面溝部２３０で捕獲されて壁側まで達しない。これにより、水滴等が下面２１ｂに回り込んで壁に伝わることを抑制することができる。
【００３１】
図３（ａ）および（ｂ）は、本実施形態に係る窓構造を例示する模式図である。
図３（ａ）には正面図が示され、図３（ｂ）には図３（ａ）のＡ−Ａ線断面図が示される。
図３（ａ）に示すように、本実施形態に係る窓構造１においては、窓枠１０の縦枠１１における外側面１１ｓの下方延長上に上面溝部２１０が配置される。また、柱２の内側面２ｓの下方延長上にも上面溝部２１０が配置される。
【００３２】
複数本の上面溝部２１０が設けられていることで、施工の際に窓台２０と窓枠１０との相対的な位置が多少ずれたり、相対的な位置関係の調整が必要になったりした場合でも、いずれかの上面溝部２１０の上に外側面１１ｓや内側面２ｓを配置することができる。また、複数本の上面溝部２１０が設けられることで、縦枠１１の正面１１ｆの下方延長上や柱２の正面２ｆの下方延長上にも上面溝部２１０が配置されることになる。これにより、縦枠１１の正面１１ｆや柱２の正面２ｆに沿って垂れる水滴等があっても、上面溝部２１０で受けて屋外へ排出できるようになる。
【００３３】
図４は、窓枠および柱と上面溝部との位置関係を例示する部分斜視図である。
図５は、窓枠および柱と上面溝部との位置関係を例示する部分平面図である。
図６は、窓台部分の模式断面図である。図６には、図５のＢ−Ｂ線断面図が示される。
図４〜図６に示す窓構造１の例では、左右の片側に３本の上面溝部２１０が設けられ、このうち中央の上面溝部２１０の上に、窓枠１０の縦枠１１における外側面１１ｓおよび柱２の内側面２ｓが位置している。
【００３４】
また、窓枠１０の下側の横枠１２の下方に連通溝部２２０が位置している。図６に示すように、窓台２０の支持板２１における上面２１ａおよび下面２１ｂのそれぞれは、屋内側から屋外側に向けて下がるように傾斜していることが望ましい。本実施形態では、上面２１ａおよび下面２１ｂのそれぞれに角度θの傾斜が設けられている。この傾斜により、支持板２１の上面溝部２１０で捕獲された水滴等や、支持板２１の上下面（上面溝部２１０以外）に付着した水滴等を積極的に屋外へ流すことができる。また、下面２１ｂに付着した水滴等は出先部分２０１に積極的に流れていき、下面溝部２３０で捕獲されることになる。
【００３５】
ここで、支持板２１の上面２１ａの全体に角度θの傾斜が設けられている場合、窓枠１０の下面と支持板２１の上面２１ａとの間に隙間が生じやすい。ここには図示しないシール材が埋め込まれているが、隙間から水滴等が染み込む可能性がある。しかし、本実施形態のように窓枠１０の下方に連通溝部２２０が配置されていることによって、隙間から水滴等が染み込んだとしても連通溝部２２０で捕獲され、室内側に入り込むことを効果的に抑制することができる。連通溝部２２０で捕獲された水滴等は、上面溝部２１０に伝わり、傾斜によって積極的に出先部分２０１へ流れていき、出先部分２０１から屋外へと排出される。
【００３６】
以上説明したように、実施形態に係る窓構造１によれば、水滴等が窓台２０の縁から壁に沿って垂れることを抑制して、水垢によるシミの発生を抑制することができる。
【００３７】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００３８】
１…窓構造
２…柱
２ｆ…正面
２ｓ…内側面
１０…窓枠
１１…縦枠
１１ｆ…正面
１１ｓ…外側面
１２…横枠
２０…窓台
２１…支持板
２１ａ…上面
２１ｂ…下面
２０１…出先部分
２１０…上面溝部
２２０…連通溝部
２３０…下面溝部
θ…角度
【図１】
2020204266.tif 000003
【図２】
2020204266.tif 000004
【図３】
2020204266.tif 000005
【図４】
2020204266.tif 000006
【図５】
2020204266.tif 000007
【図６】
2020204266.tif 000008